(57)【要約】【課題】カメラ本体を把持しやすく、また、操作しやすく、さらには取り扱い性や取り回し性を向上させる上で有利なカメラを提供する。【解決手段】カメラ本体１０の右側面１０１２にはグリップベルト４０が設けられている。グリップベルト４０は、第１ベルト４２と第２ベルト４４とを有している。第２ベルト４４は、ベルト連結具４２０２に連結されて設けられている。第２ベルト４４には、カメラ本体１０の右側面１０１２側に位置する内側ベルト部分４４０２と、この内側ベルト部分４４０２の外側方に位置する外側ベルト部分４４０４とでそれらの内側に右手の親指を除く４本の指およびこの４本の指に対応する手のひら部分が挿通できる大きさの挿通部４８が設けられている。【選択図】        図１
2005192011.tif 000002
【特許請求の範囲】
【請求項１】
左右の厚さよりも前後の長さおよび上下の高さが大きい扁平な矩形板状を呈するカメラ本体と、
前記カメラ本体の前面の上部に臨むように設けられた撮影光学系と、
前記カメラ本体の右側面の上部かつ前部に設けられた撮影用操作部材と、
前記カメラ本体の右側面に設けられたグリップベルトとを備え、
前記グリップベルトは、前記カメラ本体の前部の下部に取着され該下部から垂設されてその下端にベルト連結具が取着された第１ベルトと、前記ベルト連結具に連結された第２ベルトとを有し、
前記第２ベルトには、カメラ本体の右側面側に位置する内側ベルト部分と、この内側ベルト部分の外側方に位置する外側ベルト部分とでそれらの内側に右手の親指を除く４本の指およびこの４本の指に対応する手のひら部分が挿通できる大きさの挿通部が設けられ、
前記内側ベルト部分は、その長手方向の一端が前記ベルト連結具に連結され、その長手方向の他端が前記カメラ本体の右側面の後部に取着され、
前記内側ベルト部分により前記挿通部が前記カメラ本体の右側面の側方で前記カメラ本体の前後方向に細長形状となりかつ前記挿通部の後端が該挿通部の前端よりも上方に位置するように傾斜して形成され、
右手の親指を除く４本の指およびこの４本の指に対応する手のひら部分を前記挿通部に挿通し、親指の先部をカメラ本体の後面に当て、少なくとも中指の先部と薬指の先部をカメラ本体の前面に当てることでカメラ本体を保持し、人差し指で前記撮影用操作部材を操作できるように構成されている、
ことを特徴とするカメラ。
【請求項２】
前記内側ベルト部分の他端は、前記カメラ本体の右側面で前記第１ベルトがカメラ本体に取着された部分よりも上方の箇所に取着されていることを特徴とする請求項１記載のカメラ。
【請求項３】
前記内側ベルト部分の他端は、前記カメラ本体の右側面に着脱可能に取着されていることを特徴とする請求項１記載のカメラ。
【請求項４】
前記外側ベルト部分には甲当てパッドが取着されていることを特徴とする請求項１記載のカメラ。
【請求項５】
前記外側ベルト部分には甲当てパッドが取着され、前記甲当てパッドには、前記内側ベルト部分を覆い前記挿通部に右手の親指を除く４本の指およびこの４本の指に対応する手のひら部分が挿通された状態で該手のひら部分に接触する軟質材料からなるパッドが連結されていることを特徴とする請求項１記載のカメラ。
【請求項６】
前記第２ベルトは、単一のベルト体がその長手方向の中間部で折り返されそれらの両端部分が接合されて形成されており、前記ベルト体が接合された部分以外の前記ベルト体箇所により前記内側ベルト部分および外側ベルト部分が形成され、前記外側ベルト部分に甲当てパッドが設けられ、前記甲当てパッドは開閉可能な一対の開閉片と、これら開閉片が向かい合う面にそれぞれ取着された面ファスナーとを備え、一対の開閉片のうちの一方の開閉片に前記外側ベルト部分が挿通され、前記ベルト体が接合された部分および該部分に近接する前記内側ベルト部分および外側ベルト部分の部分は前記ベルト連結具に挿通されて該ベルト連結具から折り返され、前記ベルト体が接合された部分の先部は前記一対の開閉片の間に配置され前記面ファスナーを介して前記一対の開閉片が閉じることで該開閉片により保持されていることを特徴とする請求項１記載のカメラ。
【発明の詳細な説明】
【技術分野】
【０００１】
本発明はグリップベルトを備えるカメラに関する。
【背景技術】
【０００２】
カメラとして、例えば、ビデオカメラが知られている。
このビデオカメラは、左右の厚さよりも前後の長さおよび上下の高さが大きい扁平な矩形板状を呈するカメラ本体と、前記カメラ本体の前面の上部に臨むように設けられた撮影光学系と、前記カメラ本体の右側面の上部かつ前部に設けられた撮影用操作部材と、前記カメラ本体の右側面に設けられたグリップベルトとを備えている。
このようなグリップベルトは、その両端がカメラ本体の側面の前部箇所と後部箇所に連結されており、右手のひらをカメラ本体の側面に臨ませ、かつ、右手の甲をグリップベルトの内側に臨ませた状態で、親指を除く４本の指をグリップベルトとカメラ本体の側面との間に形成される空間に挿入し、例えば親指をカメラ本体の下部または後部に位置させるとともに、親指を除く指をカメラ本体の上部または前部に位置させ、これによりカメラ本体を親指と他の指とで把持しつつ撮影用操作部材を操作できるようにしている（例えば特許文献１参照）。
【特許文献１】特開２００１−５３９８７号公報
【発明の開示】
【発明が解決しようとする課題】
【０００３】
しかしながら、従来のカメラでは、カメラ本体側面とグリップベルトの間に手を挿入した際に、指先がカメラ本体を把持するために適切な箇所に位置するとは限らないため、カメラ本体をしっかりと把持する上で不利があり、また、撮影用操作部材を操作しやすい箇所に指が位置するとは限らないため、操作をする上でも不利があった。
また、カメラ本体側面とグリップベルトの間に手を挿入するため、挿入された手がカメラ本体側面とグリップベルトとにより拘束されてしまい、より詳細には、カメラ本体側面に手のひらが付いた状態に常に拘束されて手のひらの自由度がなくなり、取り扱い性や取り回し性を向上する上で限界があった。
本発明はこのような事情に鑑みなされたものであり、その目的は、ユーザーがカメラ本体を把持しやすく、また、操作しやすく、さらには取り扱い性や取り回し性を向上させる上で有利なカメラを提供することにある。
【課題を解決するための手段】
【０００４】
上述の目的を達成するため、本発明のカメラは、左右の厚さよりも前後の長さおよび上下の高さが大きい扁平な矩形板状を呈するカメラ本体と、前記カメラ本体の前面の上部に臨むように設けられた撮影光学系と、前記カメラ本体の右側面の上部かつ前部に設けられた撮影用操作部材と、前記カメラ本体の右側面に設けられたグリップベルトとを備え、前記グリップベルトは、前記カメラ本体の前部の下部に取着され該下部から垂設されてその下端にベルト連結具が取着された第１ベルトと、前記ベルト連結具に連結された第２ベルトとを有し、前記第２ベルトには、カメラ本体の右側面側に位置する内側ベルト部分と、この内側ベルト部分の外側方に位置する外側ベルト部分とでそれらの内側に右手の親指を除く４本の指およびこの４本の指に対応する手のひら部分が挿通できる大きさの挿通部が設けられ、前記内側ベルト部分は、その長手方向の一端が前記ベルト連結具に連結され、その長手方向の他端が前記カメラ本体の右側面の後部に取着され、前記内側ベルト部分により前記挿通部が前記カメラ本体の右側面の側方で前記カメラ本体の前後方向に細長形状となりかつ前記挿通部の後端が該挿通部の前端よりも上方に位置するように傾斜して形成され、右手の親指を除く４本の指およびこの４本の指に対応する手のひら部分を前記挿通部に挿通し、親指の先部をカメラ本体の後面に当て、少なくとも中指の先部と薬指の先部をカメラ本体の前面に当てることでカメラ本体を保持し、人差し指で前記撮影用操作部材を操作できるように構成されていることを特徴とする。
【発明の効果】
【０００５】
そのため、本発明によれば、第１ベルトによりカメラ本体の右側面に対して自由に動ける範囲が大きく確保された挿通部に手を挿通するので、従来と異なって手のひらの自由度が大きく確保され、指先がカメラ本体を把持するために適切な箇所に届きやすく、カメラ本体をしっかりと把持する上で有利となり、また、撮影用操作部材を操作しやすい箇所に指が届きやすく、カメラ本体の右側面の前部の上部に設けられた撮影用操作部材を操作をする上でも有利となる。また、従来のようにカメラ本体側面により手が拘束されることがなく、手のひらの自由度が大きく確保され、取り扱い性や取り回し性を向上する上で有利となる。
【発明を実施するための最良の形態】
【０００６】
カメラ本体を把持しやすく、また、操作しやすく、さらには取り扱い性や取り回し性を向上させるという目的を、グリップベルトに４本の指およびこの４本の指に対応する手のひら部分が挿通できる大きさの挿通部を設けることによって実現した。
【実施例１】
【０００７】
次に本発明の実施例１について図面を参照して説明する。
する。
図１は実施例１のカメラを前方から見た斜視図、図２は実施例１のカメラを後方から見た斜視図、図３は実施例１のカメラを下方から見た斜視図、図４はグリップベルトのカメラに対する連結を説明する説明図、図５、図６はグリップベルトのカメラに対する着脱操作の説明図、図７〜図１１はグリップベルトの構成を示す斜視図、図１２、図１３はグリップベルトの使用説明図、図１４はカメラの操作説明図である。
なお、本明細書においてカメラの左右とはカメラの後方から見た左右をいうものとする。
【０００８】
図１〜図３に示すように、本実施例のカメラは動画および静止画の記録が可能なビデオカメラ１００である。
ビデオカメラ１００はカメラ本体１０を備え、カメラ本体１０の内部にカメラ機構部とビデオ機構部とが一体に内蔵されている。
カメラ本体１０は、左右の厚さよりも前後の長さおよび上下の高さが大きい扁平な矩形板状に形成されている。本実施例では上下の高さが前後の長さよりも大きい寸法でカメラ本体１０が形成され、ビデオカメラ１００は縦型となっている。
【０００９】
図１に示すように、カメラ本体１０には該カメラ本体１０の前面１００２の上部に臨むように撮影光学系１２が配置されている。
図２、図３に示すように、カメラ本体１０の後面１００４の上部にはビューファインダー１４が設けられ、ビューファインダー１４の下方の後面１００４箇所には電源スイッチ１６と、動画記録の開始と停止を行うためのスタートストップボタン１８とが設けられている。
図１、図３に示すようにカメラ本体１０の右側面１０１２の前部の上部には、ズームレバー２０が揺動可能に配設され、ズームレバー２０の後方箇所に静止画撮影用のシャッターボタン２２が設けられている。
なお、本実施例において、電源スイッチ１６、スタートストップボタン１８、ズームレバー２０、シャッターボタン２２はそれぞれ本発明における撮影用操作部材を構成している。
【００１０】
図２に示すように、カメラ本体１０の左側面１０１０の上半部には、矩形板状を呈する表示部２４が開閉可能に設けられるとともに、閉じられた状態の表示部２４を収容する凹部１０１１が設けられている。
表示部２４は、ケース２５と表示器２６を備えている。
ケース２５は上下寸法よりも前後寸法が大きい前後に長い横長の矩形板状を呈し、その前端がカメラ本体１０の左側面１０１０の前部の上部に設けられたヒンジ２５０２に開閉可能に連結されている。ヒンジ２５０２によるケース２５の連結は、カメラ本体１０の上下方向に延在する第１の軸線回りと、該第１の軸線と直交する第２の軸線回りの双方に回動可能となるようになされている。
ケース２５は、厚さ方向の一方に位置する外面２５０４と、厚さ方向の他方に位置する内面２５０６と、内面２５０６に設けられた凹部とを備える。
ケース２５の外面２５０４は、表示部２５を閉じた状態でカメラ本体１０の表面と連続状となりカメラ本体１０の表面の一部を形成するように構成されている。
表示器２６は凹部に収納され、したがって、ケースの内面は表示器の周囲で延在する矩形枠状の面となっている。
表示器２６は、動画、静止画、文字などを含む画像を表示するもので、表示器２６は例えばハイブリッド液晶表示器と該ハイブリッド液晶表示器を照明するバックライトから構成されている。本実施例では、前記バックライトによってハイブリッド液晶表示器を照明した状態での表示と、バックライトを消灯してハイブリッド液晶表示器を照明せず周囲からの光を利用した状態での表示との双方が可能となるように構成されている。
【００１１】
内面２５０６のうちヒンジ２５０２と反対側に位置する箇所には、より詳細には、ケース１０の前後方向でヒンジ２５０２と反対側に位置する箇所には、上下方向に間隔をおいて上側にバックライトボタン２８が、下側にスタートストップボタン３０が設けられている。バックライトボタン２８は表示器２６の前記バックライトのオン、オフを行うためのものであり、スタートストップボタン３０は前記スタートストップボタン１８と同様に動画記録の開始と停止を行うためのものである。
なお、表示部２４の内面２５０６のヒンジ２５０２と反対側に位置する箇所にバックライトボタン２８とスタートストップボタン３０が設けられているので、図１３、図１４に示すハイアングル撮影やローアングル撮影の際、ユーザー側に表示部２４の表示面を向ければ、これらバックライトボタン２８とスタートストップボタン３０がユーザーの左手の指先で容易に操作しやすい箇所に必然的に位置することになり、操作性を向上する上で有利である。また、これらバックライトボタン２８とスタートストップボタン３０の近傍に位置させた左手の親指と親指を除く指で表示部２４のケース２５の縁部をその厚さ方向で挟んで把持すれば、カメラ本体１０のぶれを防止でき撮影姿勢の安定化を図る上で有利となる。なお、表示部２４のケース２５に設けるスイッチはこれらバックライトボタン２８とスタートストップボタン３０に限定されるものではなく、例えばズーム操作用のスイッチやシャッタスイッチなどを設けてもよい。また、これらのスイッチの一部または全てを表示器２６の表示面に設けたタッチスイッチで実現してもよいことはもちろんである。
【００１２】
図１、図３に示すように、カメラ本体１０の右側面１０１２にはグリップベルト４０が設けられている。
グリップベルト４０は、本実施例では、第１ベルト４２と第２ベルト４４とを有している。第１ベルト４２および第２ベルト４４は、例えば、可撓可能な合成樹脂材料で形成されている。
第１ベルト４２は、その長手方向の一端がカメラ本体１０の右側面１０１２の前部の下部の取り付け部１０１４に取着され、その長手方向の他端に矩形リング状のベルト連結具４２０２が取着され、その長手方向の両端を除く部分にパッド４２０４が取着されている。そして、カメラ本体１０１０を持ち上げると、第１ベルト４２はその幅方向をカメラの前後方向に平行させた状態で取り付け部１０１４から下方に垂れ下がる。パッド４２０４は、例えば、合成皮革や、厚めの布、軟質な合成樹脂、軟質なゴムなどの軟質材料により形成されている。
【００１３】
第２ベルト４４は、ベルト連結具４２０２に連結されて設けられている。
第２ベルト４４には、図１、図３に示すように、カメラ本体１０の右側面１０１２側に位置する内側ベルト部分４４０２と、この内側ベルト部分４４０２の外側方に位置する外側ベルト部分４４０４とでそれらの内側に右手の親指を除く４本の指およびこの４本の指に対応する手のひら部分が挿通できる大きさの挿通部４８が設けられている。
内側ベルト部分４４０２の長手方向の一端はベルト連結具４２０２に連結されている。
内側ベルト部分４４０２の長手方向の他端は前記カメラ本体１０の右側面１０１２の後部に取着されている。
本実施例では、内側ベルト部分４４０２の他端は、前記カメラ本体１０の右側面１０１２の後部で前記第１ベルト４２がカメラ本体１０に取着された取り付け部１０１４よりも上方の箇所に取着されている。
さらに本実施例では、内側ベルト部分４４０２の他端は、前記カメラ本体１０の右側面１０１２の後部に着脱可能に取着されている。より詳細に説明すると、カメラ本体１０の右側面１０１２の後部には、図４、図５、図６に示すように、横長形状の係合孔４６０２や解除レバー４６０４からなる係脱機構４６が設けられ、内側ベルト部分４４０２には図８に示すように、係脱機構４６に係脱する金具４４０６が設けられている。そして、図５に示すように、内側ベルト部分４４０２の前部を後部よりも高くなるように傾斜させて金具４４０６の係合片４４０８を係合孔４６０２に挿入し、図６に示すように、内側ベルト部分４４０２の前部を後部よりも低くなるように傾動させると、係合片４４０８が係脱機構４６に係合されるように構成されている。また、図６に示す内側ベルト部分４４０２の傾斜状態から解除レバー４６０４を操作し、図５に示すように内側ベルト部分４４０２の前部を後部よりも高くなるように傾動させると、係合片４４０８が係脱機構４６から外れるように構成されている。なお、このような係脱機構４６や金具４４０６の構造は、従来公知、周知の様々な構成が採用可能である。
【００１４】
このように内側ベルト部分４４０２の長手方向の両端がベルト連結具４２０２と係脱機構４６に連結されることにより、挿通部４８が前記カメラ本体１０の右側面１０１２の側方で前記カメラ本体１０の前後方向に細長形状となりかつ前記挿通部４８の後端が該挿通部４８の前端よりも上方に位置するように傾斜して形成されている。より詳細には、カメラ本体１０の側方から見て、挿通部４８の長手方向の前部がカメラ本体１０の下方に位置し、挿通部４８の長手方向の中間部がカメラ本体１０の下面近傍に位置し、挿通部４８の後部がカメラ本体１０の右側面１０１２の側方に位置する。また、挿通部４８は、係脱機構４６に取着された後端箇所を支点として挿通部４８の前端が上下方向やカメラ本体１０の右側面１０１２から離れる方向に動くことができ、自由度が確保されている。さらに、挿通部４８の前端が第１ベルト４２の下端に連結されているので、取り付け部１０１４を支点とした第１ベルト４２の移動範囲に対応した範囲で挿通部４８の前端は動くことができ、挿通部４８の自由度がより大きく確保されている。
外側ベルト部分４４０４には甲当てパッド５０が取着されている。甲当てパッド５０は、例えば、合成皮革や、厚めの布、軟質な合成樹脂、軟質なゴムなどの軟質材料により形成されている。本実施例では、甲当てパッド５０には、内側ベルト部分４４０２を覆い挿通部４８に右手の親指を除く４本の指およびこの４本の指に対応する手のひら部分が挿通された状態で該手のひら部分に接触するパッド５２が連結されている。パッド５２は、例えば、合成皮革や、厚めの布、軟質な合成樹脂、軟質なゴムなどの軟質材料により形成されている。このように外側ベルト部分４４０４には甲当てパッド５０が取着され、かつ、内側ベルト部分４４０２には前記甲当てパッド５０に連続するパッド５２が設けられていることにより、挿通部４８に手のひらを挿通することがユーザーにとって瞬時に判別できるようなっている。
そして、右手の親指を除く４本の指およびこの４本の指に対応する手のひら部分を前記挿通部４８に挿通し、親指の先部をカメラ本体１０の後面に当て、少なくとも中指の先部と薬指の先部をカメラ本体１０の前面に当てることでカメラ本体１０を保持し、人差し指でズームレバー２０とシャッターボタン２２を操作できるように構成されている。
【００１５】
第２ベルト４４について詳細に説明すると、図７〜図１１に示すように、第２ベルト４４は、単一のベルト体がその長手方向の中間部で折り返されそれらの両端部分が接合されて形成されており、ベルト体が接合された接合部分４４１０以外のベルト体箇所により内側ベルト部分４４０２および外側ベルト部分４４０４が形成されている。
甲当てパッド５０は、開閉可能な一対の開閉片５００２Ａ、５００２Ｂと、これら開閉片５００２Ａ、５００２Ｂが向かい合う面にそれぞれ取着された面ファスナー５００４Ａ、５００４Ｂとを備え、一対の開閉片５００２Ａ、５００２Ｂのうちの一方の開閉片５００２Ａで面ファスナー５００４Ａの内側の箇所に外側ベルト部分４４０４が挿通され面ファスナーとともに開閉片に縫い合わされている。
パッド５２は開閉片５００２Ａから突設されている。本実施例では、パッド５２の内部に該パッド５２の長手方向に沿って延在するベルト挿通孔５２０２が設けられ、内側ベルト部分４４０２はこのベルト挿通孔５２０２に挿通されている。
そして、図１０に示すように、接合部分４４１０および該接合部分４４１０に近接する内側ベルト部分４４０２および外側ベルト部分４４０４の部分はベルト連結具４２０２に挿通され、図９に示すように、該ベルト連結具４２０２から折り返され、接合部分４４１０の先部は前記一対の開閉片５００２Ａ，５００２Ｂの間に配置され、接合部分４４１０の先部の面ファスナー４４１２が開閉片５００２Ａの面ファスナー５００４Ａに取着され、図７に示すように、面ファスナー５００４Ａ、５００４Ｂを介して一対の開閉片５００２Ａ，５００２Ｂが閉じることでこれら開閉片５００２Ａ，５００２Ｂにより保持される。したがって、一対の開閉片５００２Ａ，５００２Ｂで保持される接合部分４４１０の長さを変えることで挿通部４８の大きさが調整される。
なお、接合部分４４１０の先端には係止具４４１４が取着されており、接合部分４４１０がベルト連結具４２０２から外れないようにしている。
【００１６】
次に、作用効果について説明する。
本実施例では、図１２に示すように、右手の親指を除く４本の指およびこの４本の指に対応する手のひら部分を挿通部４８に挿通し、親指の先部をカメラ本体１０の後面１００４に当て、中指の先部と薬指の先部をカメラ本体１０の前面１００２に当てることでカメラ本体１０を保持し、人差し指でズームレバー２０およびシャッターボタン２２などの撮影用操作部材を操作することができる。あるいは、右手の親指を除く４本の指およびこの４本の指に対応する手のひら部分を挿通部４８に挿通し、親指の先部をカメラ本体１０の後面１００４に当て、中指の先部と薬指の先部と小指の先部をカメラ本体１０の前面１００２に当てることでカメラ本体１０を保持し、人差し指で前記撮影用操作部材を操作することができる。
この場合、従来と違って、カメラ本体１０の側面とグリップベルトの間に手を挿入するのではなく、カメラ本体１０の右側面１０１２に対して自由に動くことができる挿通部４８に手を挿通し、しかもこの挿通部４８の前端はカメラ本体１０の前端の下部の下方に離れた第１ベルト４２の下端に連結されカメラ本体１０の右側面１０１２に対して挿通部４８が自由に動くことができる範囲がより大きく確保されているので、挿通部４８に挿通された手がカメラ本体１０の右側面１０１２とグリップベルト４０とにより拘束されることがなく、手のひらの自由度が大きく確保され、指先がカメラ本体１０を把持するために適切な箇所に届きやすく、カメラ本体１０をしっかりと把持する上で有利となり、また、ズームレバー２０およびシャッターボタン２２などの撮影用操作部材を操作しやすい箇所に指が届きやすく、カメラ本体１０の右側面１０１２の前部の上部に設けられた撮影用操作部材を操作をする上でも有利となる。
また、従来と違って、カメラ本体１０側面とグリップベルト４０の間に手を挿入するのではなく、カメラ本体１０の右側面１０１２に対して自由に動くことができる範囲が大きく確保された挿通部４８に手を挿通するので、従来のようにカメラ本体１０の右側面１０１２により手が拘束されることがなく、手のひらの自由度が大きく確保され、取り扱い性や取り回し性を向上する上で有利となる。
【００１７】
また、本実施例では、内側ベルト部分４４０２の後端が、カメラ本体１０の右側面１０１２に着脱可能に取着されているので、内側ベルト部分４４０２の後端部分をカメラ本体１０の右側面１０１２から取り外すことで、グリップベルト４０をストラップベルトとして使用することができる。すなわち、図７、図８に示すように、グリップベルト４０の内側ベルト部分４４０２の金具４４０６をカメラ本体１０の係脱機構４６から取り外すことで、内側ベルト部分４４０２はカメラ本体１０の右側面１０１２から離れる。そして、図９、図１０、図１１に示すように一対の開閉片５００２Ａ，５００２Ｂの間から接合部分４４１０の先部を外し、係止具４４１４がベルト連結具４２０２に係止するまで接合部分４４１０を引き出す。そして、一対の開閉片５００２Ａ，５００２Ｂを面ファスナー５００４Ａ，５００４Ｂを介して閉じることで、グリップベルト４０をストラップベルトとして使用することができる。具体的には、係止具４４１４がベルト連結具４２０２に係止するまで接合部分４４１０を引き出すと、図１１に示すように、内側ベルト部分４４０２および外側ベルト部分４４０４の長さは最大となり、これにより挿通部４８の大きさも最大となり、挿通部４８はその内部に手のひら全体を挿通できる大きさとなる。したがって、挿通部４８に右手を挿通させ、グリップベルト４０をストラップベルトとして使用することができる。
この場合には、図１３に示すように、挿通部４８に右手を挿通させ、挿通部４８を手首に位置させた状態で右手によってカメラ本体１０を把持することができ、カメラ本体１０をユーザーの頭部よりも上方に位置させたハイアングル撮影、あるいは、カメラ本体１０をユーザーの頭部よりも下方に位置させたローアングル撮影を行う場合、カメラ本体１０の姿勢を自由に変えることができ、取り扱い性や取り回し性を向上する上で有利となる。
【００１８】
なお、実施例では、第１ベルト４２と、この第１ベルト４２とは別体の第２ベルト４４とでグリップベルト４０を構成した場合について説明したが、ベルトの取り回しやベルト連結具４２０２の構造如何によってはグリップベルト４０を単一のベルトで構成することも可能であり、したがって、本発明はグリップベルト４０が単一のベルトで構成されているものにも無論適用され、この場合には実施例に対応するベルト部分がそれぞれ第１ベルト４２と第２ベルト４４に相当することになる。
また、実施例においては、カメラとしてビデオカメラを例示したが、本発明はデジタルスチルカメラ、テレビカメラ、フィルム式カメラなどの種々のカメラに無論適用可能である。
【図面の簡単な説明】
【００１９】
【図１】実施例１のカメラを前方から見た斜視図である。
【図２】実施例１のカメラを後方から見た斜視図である。
【図３】実施例１のカメラを下方から見た斜視図である。
【図４】グリップベルトのカメラに対する連結を説明する説明図である。
【図５】グリップベルトのカメラに対する着脱操作の説明図である。
【図６】グリップベルトのカメラに対する着脱操作の説明図である。
【図７】グリップベルトの構成を示す斜視図である。
【図８】グリップベルトの構成を示す斜視図である。
【図９】グリップベルトの構成を示す斜視図である。
【図１０】グリップベルトの構成を示す斜視図である。
【図１１】グリップベルトの構成を示す斜視図である。
【図１２】グリップベルトの使用説明図である。
【図１３】グリップベルトの使用説明図である。
【図１４】カメラの操作説明図である。
【符号の説明】
【００２０】
１００……カメラ、１０……カメラ本体、１００２……前面、１００４……後面、１０１２……右側面、１２……撮影光学系、２０……ズームレバー、２２……シャッターボタン、４０……グリップベルト、４２……第１ベルト、４２０２……ベルト連結具、４４……第２ベルト、４４０２……内側ベルト部分、４４０４……外側ベルト部分、４８……挿通部。
【図１】
2005192011.tif 000003
【図２】
2005192011.tif 000004
【図３】
2005192011.tif 000005
【図４】
2005192011.tif 000006
【図５】
2005192011.tif 000007
【図６】
2005192011.tif 000008
【図７】
2005192011.tif 000009
【図８】
2005192011.tif 000010
【図９】
2005192011.tif 000011
【図１０】
2005192011.tif 000012
【図１１】
2005192011.tif 000013
【図１２】
2005192011.tif 000014
【図１３】
2005192011.tif 000015
【図１４】
2005192011.tif 000016